(57)【要約】【課題】  本発明は、高温環境下において操作軸のプッシュ操作を解除した時に、プッシュスイッチのスイッチ回路を確実にＯＦＦさせることができるプッシュスイッチ付き回転型電気部品を提供すること。【解決手段】  本発明のプッシュスイッチ付き回転型電気部品は、操作軸７には、初期状態で軸受け部６ｃに回転可能に嵌合する太径の第１軸部７ｅと、この第１軸部７ｅより細径な第２軸部７ｆとが形成され、操作軸７をプッシュ操作して板ばね１１が反転した際には、操作軸７の第１軸部７ｅと軸受け部６ｃとの嵌合が外れて第２軸部７ｆが軸受け部６ｃに嵌合し、操作軸７のプッシュ操作を解除すると、板ばね１１の弾性力で、操作軸７がプッシュ操作前の初期状態に復帰して第１軸部７ｅが軸受け部６ｃに嵌合するようになっている。【選択図】        図２
2006286583.tif 000002
【特許請求の範囲】
【請求項１】
合成樹脂からなる操作軸と、この操作軸を回転操作可能で軸線方向へプッシュ操作可能に支持する軸受け部を有する軸受け部材と、前記操作軸の回転に伴って相対的に摺動する摺動子及び導電パターンと、前記操作軸の軸線方向にプッシュ操作することにより反転可能な板ばねを有するプッシュスイッチとを備え、
前記操作軸には、初期状態で前記軸受け部に回転可能に嵌合する太径の第１軸部と、この第１軸部より細径な第２軸部とが形成され、前記操作軸を前記プッシュ操作して前記板ばねが反転した際には、前記操作軸の前記第１軸部と前記軸受け部との嵌合が外れて前記第２軸部が前記軸受け部に嵌合し、前記操作軸の前記プッシュ操作を解除すると、前記板ばねの弾性力で、前記操作軸がプッシュ操作前の初期状態に復帰して前記第１軸部が前記軸受け部に嵌合することを特徴とするプッシュスイッチ付き回転型電気部品。
【請求項２】
前記操作軸の前記第２軸部は、前記第１軸部から離れるにしたがって径が細くなるようなテーパ面を周方向に備え、前記操作軸をプッシュ操作して前記板ばねが反転した際には、前記テーパ面が前記軸受け部に位置して嵌合することを特徴とする請求項１記載のプッシュスイッチ付き回転型電気部品。
【請求項３】
前記軸受け部材には、前記軸受け部の孔径より大きな孔径の筒状部を有し、前記操作軸を前記プッシュ操作した時の前記第１軸部は、前記筒状部に位置していることを特徴とする請求項１、または２記載のプッシュスイッチ付き回転型電気部品。
【請求項４】
前記操作軸は、ガラス繊維が充填されて形成され、一端部側に前記板ばねを押圧操作可能なばね押圧部が形成されると共に、他端部側の端面にゲート部が形成されていることを特徴とする請求項１乃至３のいずれかに記載のプッシュスイッチ付き回転型電気部品。
【発明の詳細な説明】
【技術分野】
【０００１】
本発明は、１つの操作軸で、プッシュスイッチのＯＮ／ＯＦＦ操作と、パルススイッチ、或いは可変抵抗器等の回転型電気部品を操作するようにしたプッシュスイッチ付き回転型電気部品に関する。
【背景技術】
【０００２】
従来のプッシュスイッチ付き回転型電気部品を図９に基づいて説明すると、合成樹脂からなるケース部材１を有し、このケース部材１には、金属板からなる複数個の導電パターン（導電板）２が埋設されている。
前記ケース部材１には、合成樹脂から成る駆動体３が回転可能に支持されており、駆動体３には、金属板からなる摺動子４が取り付けられている。
そして、この駆動体３が回転することにより、摺動子４が導電パターン（導電板）２に接離して、接点の切り換えを行うパルススイッチを構成している。
【０００３】
また、ケース部材１の外周壁には、後述する取付部材である軸受け部材１６の平板部１６ａとの間に挟持されて金属板からなる板材５が取り付けられている。
前記板材５には、弾性片５ａが形成され、この弾性片５ａが駆動体３に形成した凹凸部（図示せず）に係脱することにより、駆動体３の回転動作に対してクリック動作を行わしめている。
また、軸受け部材１６は、金属からなり平板部１６ａと軸受け部１６ｂとが形成され、軸受け部１６ｂに支持された操作軸１７が回転自在になっている。
【０００４】
前記操作軸１７は、合成樹脂等の成型品からなり、先端に細軸状のバネ押圧部１７ａと、このバネ押圧部１７ａ近傍の割溝１７ｂを挟んで一対の取付脚１７ｃが形成されている。また、ケース部材１の後部（図示左側）には、固定接点８、９を埋設した絶縁体１０が取り付けられ、この絶縁体１０の内部には、ドーム状の板ばね１１が配設されている。
前記板ばね１１は、外周部が固定接点９に常時接触し、その中央部に操作軸１７のバネ押圧部１７ａが当接し、操作軸１７が常時矢印Ａ方向に弾性付勢されている。  そして、板ばね１１により矢印Ａ方向に弾性付勢される操作軸１７は、一対の取付脚１７ｃが駆動体３に係止されて抜け止めされている。
【０００５】
このような従来のプッシュスイッチ付き回転型電気部品の操作を説明すると、まず回転型電気部品の操作は、図９に示すように、板ばね１１のばね力で操作軸１７が矢印Ａ方向にスライドした状態の初期状態において、操作軸１７を回転操作すると、駆動体３が回転して回転型電気部品であるパルススイッチが操作される。
また、プッシュスイッチの操作は、図９に示す初期状態にある操作軸１７を矢印Ｂ方向にプッシュ操作すると、バネ押圧部１７ａがドーム状の板ばね１１の中央部を押し、板ばね１１を介して固定接点８と９とが導通してプッシュスイッチのスイッチ回路がＯＮする。
その後、操作軸１７の押圧を解除すると、板ばね１１のばね性により、板ばね１１が固定接点８から離れてプッシュスイッチのスイッチ回路がＯＦＦとなると共に、操作軸１７が矢印Ａ方向にスライドして初期状態に自動復帰する。
【特許文献１】特開平１１−９６８５５号公報
【発明の開示】
【発明が解決しようとする課題】
【０００６】
しかし、従来のプッシュスイッチ付き回転型電気部品は、例えば車内温度が５０〜８０℃の高温になる自動車等に使用した場合、合成樹脂からなる操作軸１７が膨張し、操作軸１７と軸受け部材１６の軸受け部１６ｂとの嵌合がきつくなる。
すると、操作軸１７の回転操作性が悪くなるだけでなく、操作軸１７の軸受け部１６ｂに対するスライド性も悪くなる。
そして、このような高温環境下で、膨張した操作軸１７に強い押圧力を加えてプッシュスイッチのスイッチ回路をＯＮさせた後、操作軸１７に加えていた押圧荷重を解除しても、板ばね１１の弾性力だけでは、操作軸１７が矢印Ａ方向にスライドできなくなり、プッシュスイッチのスイッチ回路をＯＦＦできなくなるような障害が発生するおそれがあった。
【０００７】
また、このような障害の発生を防止するために、従来のプッシュスイッチ付き回転型電気部品は、使用温度範囲を狭くして、環境温度が所定温度以上では使わないようにしていたので用途が限定されていた。
本発明は前述したような課題を解決し、高温環境下において操作軸のプッシュ操作を解除した時に、プッシュスイッチのスイッチ回路を確実にＯＦＦさせることができるプッシュスイッチ付き回転型電気部品を提供することを目的とする。
【課題を解決するための手段】
【０００８】
前記課題を解決するための第１の手段として本発明のプッシュスイッチ付き回転型電気部品は、合成樹脂からなる操作軸と、この操作軸を回転操作可能で軸線方向へプッシュ操作可能に支持する軸受け部を有する軸受け部材と、前記操作軸の回転に伴って相対的に摺動する摺動子及び導電パターンと、前記操作軸の軸線方向にプッシュ操作することにより反転可能な板ばねを有するプッシュスイッチとを備え、前記操作軸には、初期状態で前記軸受け部に回転可能に嵌合する太径の第１軸部と、この第１軸部より細径な第２軸部とが形成され、前記操作軸を前記プッシュ操作して前記板ばねが反転した際には、前記操作軸の前記第１軸部と前記軸受け部との嵌合が外れて前記第２軸部が前記軸受け部に嵌合し、前記操作軸の前記プッシュ操作を解除すると、前記板ばねの弾性力で、前記操作軸がプッシュ操作前の初期状態に復帰して前記第１軸部が前記軸受け部に嵌合することを特徴とする。
また、前記課題を解決するための第２の手段として、前記操作軸の前記第２軸部は、前記第１軸部から離れるにしたがって径が細くなるようなテーパ面を周方向に備え、前記操作軸をプッシュ操作して前記板ばねが反転した際には、前記テーパ面が前記軸受け部に位置して嵌合するようにした。
【０００９】
また、前記課題を解決するための第３の手段として、前記軸受け部材には、前記軸受け部の孔径より大きな孔径の筒状部を有し、前記操作軸を前記プッシュ操作した時の前記第１軸部は、前記筒状部に位置するようにした。
また、前記課題を解決するための第４の手段として、前記操作軸は、ガラス繊維が充填されて形成され、一端部側に前記板ばねを押圧操作可能なばね押圧部が形成されると共に、他端部側の端面にゲート部が形成されている構成とした。
【発明の効果】
【００１０】
本発明のプッシュスイッチ付き回転型電気部品の操作軸には、初期状態で軸受け部に回転可能に嵌合する太径の第１軸部と、この第１軸部より細径な第２軸部とが形成され、操作軸をプッシュ操作して板ばねが反転した際には、操作軸の第１軸部と軸受け部との嵌合が外れて第２軸部が軸受け部に嵌合し、操作軸のプッシュ操作を解除すると、板ばねの弾性力で、操作軸がプッシュ操作前の初期状態に復帰して第１軸部が軸受け部に嵌合するので、高温環境下で使用するときに操作軸をプッシュ操作してプッシュスイッチのスイッチ回路をＯＮとした後、プッシュ操作を解除した時に、操作軸が熱で膨張していても、軸受け部には第１軸部よりも細径の第２軸部が嵌合しているため、プッシュスイッチのスイッチ回路をＯＦＦさせることができる。これにより、本発明のプッシュスイッチ付き回転型電気部品の使用温度範囲を広げることができる。
また、操作軸の第２軸部は、第１軸部から離れるにしたがって径が細くなるようなテーパ面を周方向に備え、操作軸をプッシュ操作して板ばねが反転した際には、テーパ面が軸受け部に位置して嵌合するようにしたので、操作軸は、第２軸部のテーパ面が軸受け部に案内されて円滑にスライド移動しやすくなる。このため、高温環境下において、操作軸をプッシュ操作して解除した場合にも、プッシュスイッチのスイッチ回路をより確実にＯＮからＯＦＦとすることができる。
【００１１】
また、軸受け部材には、軸受け部の孔径より大きな孔径の筒状部を有し、操作軸をプッシュ操作した時の第１軸部は、筒状部に位置しているので、操作軸をより確実に復帰させて、プッシュスイッチのスイッチ回路をＯＦＦさせることができる。
また、操作軸は、ガラス繊維が所定量充填されて形成され、一端部側に板ばねを押圧操作可能なばね押圧部が形成されると共に、他端部側の端面にゲート部が形成されているので、充填しているガラス繊維の充填方向を軸線方向に配列させることができる。
そのために、操作軸の強度を高めることができ、繰り返しの回転操作、プッシュ操作でも操作軸の摩耗を少なくすることができる。
【発明を実施するための最良の形態】
【００１２】
以下、本発明のプッシュスイッチ付き回転型電気部品の一実施の形態を図面に基づいて説明する。
図１は本発明のプッシュスイッチ付き回転型電気部品の正面図であり、図２は図１の要部断面図であり、図３は本発明に係る操作軸の図であり、図４は初期状態における操作軸と軸受け部材との関係を説明する図であり、図５は図４の要部拡大図であり、図６はプッシュ操作時における操作軸と軸受け部材との関係を説明する図であり、図７は図６の要部拡大図であり、図８は駆動体への操作軸の組み付けを説明する分解斜視図である。
【００１３】
本発明のプッシュスイッチ付き回転型電気部品を図１〜図３に基づいて説明する。また、従来例で説明したものと同じ構成の部材は、同じ番号を付して説明する。まず、本発明に係わる回転型電気部品Ｄを、例えばパルススイッチで説明すると、ケース部材１は、合成樹脂からなり、図示右側に所定の径寸法と深さからなる凹部１ａが形成され、この凹部１ａの底壁１ｂに所定の径寸法で円形状の孔１ｃが形成され、凹部１ａの外周部が側壁１ｄで囲まれている。
また、ケース部材１には、凹部１ａ内の底壁１ｂの上面に一部が露出し、また、一部が側壁１ｄから端子部２ａが外部に突出するように、薄い金属板から成る複数個の導電板２が埋設されている。そして、この導電板２が、後述する摺動子４と摺接する導電パターンを構成している。
【００１４】
また、合成樹脂から成る駆動体３は、図８に示すように、中心部に、例えば小判型の非円形の孔３ａを有する筒部３ｂと、この筒部３ｂの一端側である図示左端部に、孔３ａを横切るように設けられた受け部３ｃと、筒部３ｂの中心部において受け部３ｃに設けられた小孔３ｄとが形成されている。
前記受け部３ｃの外周の一部に、孔３ａと連通する一対の切り欠き部３ｅと、孔３ａの壁面の一部を内方に突出させた、図２に示すような一対の係止部３ｆと、筒部３ｂの外周に円形状の鍔部３ｇと、鍔部３ｇの前面に凹凸部３ｈとが形成されている。
【００１５】
また、駆動体３の鍔部３ｇの後面（図示左側）には、金属板から成る摺動子４が取り付けられている。
そして、この駆動体３は、ケース部材１の凹部１ａ内に鍔部３ｇが位置すると共に、筒部３ｂの後端（図示左側）を孔１ｃに挿通してケース部材１に回転可能に支持されている。また、駆動体３が回転することで、駆動体３に取り付けた摺動子４が導電パターン（導電板）２に接離して、接点の切り換えを行うパルススイッチを構成している。
【００１６】
また、弾性を有する金属板あるいはプラスチック等からなるリンク状の板材５は、ケース部材１の凹部１ａを塞ぐように、ケース部材１と鍔部３ｇの前面に配置されている。
そして、板材５には、舌片状の弾性片５ａが形成され、駆動体３が回転することで、弾性片５ａが駆動体３の凹凸部３ｈに係脱して、駆動体３の回転動作に対してクリック感触を伴うものとなっている。
上述したように、摺動子４を取り付けた駆動体３と、導電パターン（導電板）２を取り付けたケース部材１と、板材５とで、回転型電気部品Ｄである例えばパルススイッチを構成している。前記回転型電気部品Ｄは、パルススイッチに限らず、例えば可変抵抗器等でも良い。
【００１７】
また、金属板からなる取付部材である軸受け部材６は、平坦状の平板部６ａが形成されると共に、平板部６ａの中央部を絞り加工等で図示右方向に所定の孔径と高さ寸法で突き出して円筒状をした筒状部６ｂと軸受け部６ｃとが形成されている。また、筒状部６ｂと軸受け部６ｃとの間には、後述する操作軸７のスライド移動をスムーズにするために、所定角度のテーパ部６ｄが形成されている。
そして、筒状（円筒状）の軸受け部６ｃには、後述する操作軸７の太径の第１軸部７ｅが、回転可能及び軸線方向（矢印Ｂ方向）にスライド移動可能で、ほとんどガタなく、軸受け部６ｃとの間に微小なクリアランスを有して嵌合可能になっている。
また、筒状部６ｂは、軸受け部６ｃの孔径より大きな孔径で形成されており、後述する操作軸７の第１軸部７ｅが高温により膨張してもこの第１軸部７ｅとの間にクリアランスを有するようになっている。
また、軸受け部材（取付部材）６には、図１に示すように、プリント基板（図示せず）等にスナップ係止可能なスナップ脚６ｅと、このスナップ脚６ｅの図示上下に固定爪６ｆが形成されている。
そして、軸受け部材６は、固定爪６ｆをケース部材１の後方に配置される後述する絶縁体１０の後面に折り曲げることにより、ケース部材１と一体化されている。このとき、板材５は、ケース部材１の側壁１ｄと軸受け部材６の平板部６ａとの間に挟持されている。
【００１８】
また、筒状部６ｂ及び軸受け部６ｃに挿通される操作軸７は、合成樹脂製の成型品からなり、強度向上のために樹脂材料に所定量のガラス繊維が充填されて成型加工されている。
そのために、耐摩耗性に優れており、操作軸７を繰り返し回転操作、あるいはプッシュ操作を行っても、回転摺動部の摩耗による不具合の発生を防止できるようになっている。
前記操作軸７は、図２、図３に示すように、左端部の先端部側（非操作部側）で軸線Ｓ上に細軸のばね押圧部７ａが形成され、このばね押圧部７ａの図示上下に、所定の幅寸法と深さ寸法の割溝７ｂが軸線Ｓ方向に沿って形成されている。
また、割溝７ｂを挟んだ、ばね押圧部７ａの図示上下には、一対の取付脚７ｃが形成されている。そして、ばね押圧部７ａは、取付脚７ｃよりも図示左側に突出形成されている。
【００１９】
また、操作軸７の図示右側（操作部側）には、操作摘み（図示せず）が取り付けられる断面Ｄ字状の操作部７ｄが形成され、操作軸７の中央部には、軸受け部材６の軸受け部６ｃに、回転可能及びスライド移動可能で、軸受け部６ｃと微小なクリアランスを有してほとんどガタなく嵌合可能な第１軸部７ｅが形成されている。この第１軸部７ｅの図示右側（操作部側）には、第１軸部７ｅより細径で、第１軸部７ｅと軸受け部６ｃとの間のクリアランスよりも大きなクリアランスを有して、軸受け部６ｃに嵌合可能な第２軸部７ｆが形成されている。すなわち、第１軸部７ｅは、第２軸部７ｆよりも径の大きな太径の軸部となっている。
また、第２軸部７ｆには、第１軸部７ｅから図示右側の操作部側へと離れるにしたがって径が緩やかに細くなるテーパ面７ｇが周方向に形成されている。このテーパ面７ｇは、第２軸部７ｆの一部を構成し、第１軸部７ｅから連続して形成されている。そして、このテーパ面７ｇは、矢印Ｂ方向にプッシュ操作された操作軸７が矢印Ａ方向に復帰するときに、第１軸部７ｅが軸受け部６ｃに嵌合するときのガイドとなっている。
【００２０】
また、操作軸７には、第１軸部７ｅの図示左側面に段部７ｈが形成され、この段部７ｈによって、操作軸７を矢印Ｂ方向にプッシュ操作した時に、駆動体３の筒部３ｂ端部に当接するストッパー部となっている。
また、操作軸７は、図３Ｃに示すように、操作部７ｄの図示右端面に、成型加工時のゲート部７ｊが形成されている。
前記操作軸７は、径寸法の大きな操作部７ｄの右端面にゲート部７ｊを設けることで、樹脂材料に所定量充填したガラス繊維の配列方向を、軸線Ｓと略平行となるように配列することができ、操作軸７の強度を高めることができる。
【００２１】
このような操作軸７は、太径の第１軸部７ｅと、軸受け部材６の軸受け部６ｃとの間のクリアランスは非常に小さく形成されているので、初期状態の操作軸７の第１軸部７ｅは、回転可能及びプッシュ操作に伴うスライド移動可能で軸線Ｓと直交する方向にほとんどガタなく軸受け部６ｃに嵌合している。
即ち、矢印Ｂ方向にプッシュ操作する前の初期状態における操作軸７は、第１軸部７ｅが軸受け部材６の軸受け部６ｃに回転可能及びスライド移動可能で、軸受け部６と微小なクリアランスを有して嵌合している。
【００２２】
また、操作軸７は、図２に示す初期状態から後述するプッシュスイッチＰのスイッチ回路がＯＮするまでのストロークが図５に示すように、寸法Ｃとなっている。また、後述するプッシュスイッチＰのスイッチ回路がＯＮした時の操作軸７は、軸受け部６ｃから第１軸部７ｅが図示左側（非操作部側）に抜け出ており、この時の軸受け部６ｃから第１軸部７ｅまでの寸法は、図５に仮想線（破線）で示すように、寸法Ｃより小さい寸法Ｄになるようになっている。
そして、操作軸７は、矢印Ｂ方向のプッシュ操作を解除して、矢印Ａ方向に寸法Ｃのストローク分戻ることで、確実に第１軸部７ｅが軸受け部６ｃと嵌合するようになっている。
【００２３】
また、操作軸７を駆動体３に組み付けるには、操作軸７のばね押圧部７ａ側を矢印Ｂ方向に移動させて、駆動体３の筒部３ｂの孔３ａに挿入する。
すると、操作軸７の取付脚７ｃが係止部３ｆの内面に当接し、更に、操作軸７を矢印Ｂ方向に押し込むと、鈎状の取付脚７ｃが割溝７ｂを狭める方向に撓んで係止部３ｆが形成された部分の孔３ａを通過する。
そして、係止部３ｆが形成された部分の孔３ａを通過した取付脚７ｃは、自身のバネ性で元の状態に戻り、鈎状部分が駆動体３の係止部３ｆにスナップ係止される。このことにより、操作軸７は、矢印Ａ方向への抜け止めが行われる。
【００２４】
また、取付脚７ｃによって駆動体３に抜け止めされた操作軸７は、ばね押圧部７ａが受け部３ｃの小孔３ｄに挿通する。
このことにより、ばね押圧部７ａ側の軸線Ｓと直交する方向のガタ付きが規制されると共に、矢印Ｂ方向にスライド移動可能となっている。
このように駆動体３と係合された操作軸７は、操作部７ｄが板材５の孔（図示せず）と軸受け部材６に筒状部６ｂ側から挿入されて、操作部７ｄが軸受け部６ｃから突出されると共に、摺動子４が取り付けられた駆動体３はケース部材１の凹部１ａに収納される。そして、ケース部材１の後方（図２において左側）に後述する板ばね１１と絶縁体１０を配置した状態で、軸受け部材６の固定爪６ｆを絶縁体１０の後面側に折り曲げることにより、各部材の組み立てが行われる。
このように組み込みされた操作軸７は、プッシュ操作する前の初期状態から、矢印Ｂ方向にプッシュ操作すると、段部７ｈが駆動体３の筒部３ｂ端部にぶつかって、そのスライド移動が停止する。また、プッシュ操作を解除して矢印Ａ方向に戻される操作軸７は、鈎状の取付脚７ｃが係止部３ｆに掛け止めされて、寸法Ｃのストローク分だけスライド移動してそれ以上はスライド移動しない。
【００２５】
また、ケース部材１の図示左側の後部には、固定接点８、９を埋設した絶縁体１０が取り付けられ、この絶縁体１０の内部には、可動接点としての金属板からなるドーム状の板ばね１１が配設されている。
前記板ばね１１は、その周辺部が固定接点９に常時接触し、且つ、その中央部が操作軸７のばね押圧部７ａに当接して、操作軸７を常時矢印Ａ方向に弾性付勢している。
そして、固定接点８、９を有する絶縁体１０と、板ばね１１とでプッシュスイッチＰが構成され、このプッシュスイッチＰと回転型電気部品Ｄとが軸線Ｓ上に並列して配設されている。
【００２６】
次ぎに、上述したような構成のプッシュスイッチ付き回転型電気部品の操作を説明する。操作軸７の操作部７ｄを回転操作すると、操作軸７の回転に伴って駆動体３が回転し、駆動体３に取り付けた摺動子４と導電パターン（導電板）２とが相対的に摺動して、回転型電気部品Ｄであるパルススイッチが操作される。
また、図１、図２に示す初期状態の操作軸７を矢印Ｂ方向にプッシュ操作すると、操作軸７先端のばね押圧部７ａが板ばね１１の中央部を押圧して、弾力性のある板ばね１１が反転し、板ばね１１の中央部内面が固定接点８に接触する。
このことにより、固定接点８と９とが板ばね１１を介して導通してプッシュスイッチＰのスイッチ回路がＯＮする。
【００２７】
前記操作軸７のプッシュ操作において、軸受け部６ｃに嵌合した初期状態の第１軸部７ｅが、軸受け部６ｃから抜け出て筒状部６ｂに位置すると、第１軸部７ｅが筒状部６ｂに対して、初期状態の第１軸部７ｅと軸受け部６ｃとの間のクリアランスよりも大きなクリアランスを有するようになる。
しかし、操作軸７をプッシュ操作してプッシュスイッチＰのスイッチ回路がＯＮした際には、図７に示すように、第２軸部７ｆのテーパ面７ｇが軸受け部６ｃに位置して、テーパ面７ｇが軸受け部６ｃに対して嵌合する状態となる。このとき、テーパ面７ｇと軸受け部６ｃとの間のクリアランスは、初期状態における第１軸部７ｅと軸受け部６ｃとの間の微小クリアランスよりは大きいものの、図７に示すプッシュ操作時における第１軸部７ｅと筒状部６ｂとの間のクリアランスよりは小さくなるように設定されている。このため、操作軸７のプッシュ操作時のガタ付きは、プッシュ操作の操作感触に違和感を覚えるほど大きくなるのを抑制することができる。
また、操作軸７をプッシュ操作する際に、操作部７ｄ側にガタ付きが発生しても、板ばね１１を押圧する側のばね押圧部７ａが、駆動体３の小孔３ｄにガイドされているので、ばね押圧部７ａ側には、ガタ付きが発生しにくいようになっている。
そのために、ばね押圧部７ａは、板ばね１１の略中央部におけるほぼ同じ位置を常に押圧するようになっている。
【００２８】
また、プッシュスイッチＰのスイッチ回路をＯＮさせた後、操作軸７の矢印Ｂ方向のプッシュ操作を解除すると、板ばね１１の弾性力により、操作軸７が矢印Ａ方向に戻される。
そして、板ばね１１と固定接点８とが離れ、プッシュスイッチＰのスイッチ回路がＯＦＦとなると共に、取付脚７ｃが係止部３ｆに掛け止めされて操作軸７の矢印Ａ方向のスライド移動がストップする。
【００２９】
上述したような本発明のプッシュスイッチ付き回転型電気部品は、初期状態にある操作軸７を、寸法Ｃのストローク分プッシュ操作してプッシュスイッチＰのスイッチ回路をＯＮすると、操作軸７の第１軸部７ｅが軸受け部材６の軸受け部６ｃから寸法Ｄだけ外れて軸受け部６ｃよりも大きな孔径の筒状部６ｂに位置し、筒状部６ｂに対してある程度大きなクリアランス（遊び）を有するようになる。
そのために、本発明のプッシュスイッチ付き回転型電気部品を、例えば温度変化が大きな車等に使用して、車内温度が５０℃以上の高温となって、操作軸７が膨張したとしても、操作軸７のプッシュ操作を解除したときに、少なくとも寸法Ｄ分は板ばね１１の弾性力で操作軸７を矢印Ａ方向に戻すことができる。したがって、ＯＮとなっているプッシュスイッチＰのスイッチ回路を確実にＯＦＦさせることができる。
【００３０】
また、プッシュ操作時には、第１軸部７ｅよりも細径の第２軸部７ｆに設けられたテーパ面７ｇが軸受け部６ｃに位置して嵌合しているので、テーパ面７ｇをイドとして操作軸７が矢印Ａ方向へスムーズに移動しやすいものとなっている。さらに、軸受け部材６の軸受け部６ｃと筒状部６ｂとの間に設けられたテーパ部６ｄによっても、第２軸部７ｆのテーパ面７ｇや第１軸部７ｅをガイドすることができ、操作軸７の矢印Ａ方向への移動をより円滑なものとすることができる。よって、テーパ面７ｇやテーパ部６ｄを設けたことにより、プッシュスイッチＰのスイッチ回路をより確実にＯＦＦさせることができる。
また、板ばね１１の弾性力で矢印Ａ方向に戻る操作軸７は、操作軸７の慣性によって、寸法Ｄより大きな寸法戻すことができる。
このような本発明のプッシュスイッチ付き回転型電気部品は、プッシュ操作時に操作軸７の第１軸部７ｅが軸受け部材６の軸受け部６ｃから外れることで、高温環境下でも用いることができ、使用温度範囲を広くすることができる。
【００３１】
尚、本発明の実施の形態では、第２軸部７ｆにテーパ面７ｇを形成したもので説明したが、テーパ面７ｇを無くして第１軸部７ｅと第２軸部７ｆとを段差状に形成したものでも良い。
このような第１軸部７ｅは、軸受け部材６の筒状部６ｂと軸受け部６ｃとの間に形成したテーパ部６ｄによってガイドすることができる。
【図面の簡単な説明】
【００３２】
【図１】本発明のプッシュスイッチ付き回転型電気部品の正面図である。
【図２】図１の要部断面図である。
【図３】本発明に係る操作軸の図である。
【図４】初期状態における操作軸と軸受け部材との関係を説明する図である。
【図５】図４の要部拡大図である。
【図６】プッシュ操作時における操作軸と軸受け部材との関係を説明する図である。
【図７】図６の要部拡大図である。
【図８】本発明に係わる駆動体への操作軸の組み付けを説明する分解斜視図である。
【図９】従来のプッシュスイッチ付き回転型電気部品の要部断面図である。
【符号の説明】
【００３３】
Ｄ  回転型電気部品
１  ケース部材
１ａ  凹部
１ｂ  底壁
１ｃ  孔
１ｄ  側壁
２  導電パターン（導電板）
３  駆動体
３ａ  孔
３ｂ  筒部
３ｃ  受け部
３ｄ  小孔
３ｅ  切り欠き部
３ｆ  係止部
３ｇ  鍔部
３ｈ  凹凸部
４  摺動子
５  板材
５ａ  弾性片
６  軸受け部材（取付部材）
６ａ  平板部
６ｂ  筒状部
６ｃ  軸受け部
６ｄ  テーパ部
７  操作軸
７ａ  ばね押圧部
７ｂ  割溝
７ｃ  取付脚
７ｄ  操作部
７ｅ  第１軸部
７ｆ  第２軸部
７ｇ  テーパ面
７ｈ  段部
７ｊ  ゲート部
Ｓ  軸線
Ｐ  プッシュスイッチ
８、９  固定接点
１０  絶縁体
１１  板ばね
【図１】
2006286583.tif 000003
【図２】
2006286583.tif 000004
【図３】
2006286583.tif 000005
【図４】
2006286583.tif 000006
【図５】
2006286583.tif 000007
【図６】
2006286583.tif 000008
【図７】
2006286583.tif 000009
【図８】
2006286583.tif 000010
【図９】
2006286583.tif 000011